(57)【要約】 【課題】キャラクタを画角に入れて撮像する際の利便性を高める。【解決手段】表示具は、第一部材とキャラクタを視覚的に表す第二部材とを備え、第一部材と第二部材との相対位置がとりうる状態が、第一状態と、第一状態よりも第一部材を把持しにくい第二状態と、を含む。【選択図】図３
2019110931.tif 000002
【特許請求の範囲】
【請求項１】
第一部材とキャラクタを視覚的に表す第二部材とを備え、前記第一部材と前記第二部材との相対位置がとりうる状態が、第一状態と、第一状態よりも前記第一部材を把持しにくい第二状態と、を含む表示具。
【請求項２】
前記第一部材は前記第二部材に回動可能に取り付けられる請求項１に記載の表示具。
【請求項３】
前記第二状態において前記第一部材は前記キャラクタの背面側に位置するよう前記第二部材と重なる請求項１または２に記載の表示具。
【請求項４】
前記第一状態において前記第二部材から遠位となる第一部材の端部は、前記表示具を他の物品に取り付けるために用いられる部材を取り付けることができるよう構成される請求項１から３のいずれか一項に記載の表示具。
【請求項５】
前記第一状態において前記第二部材から遠位となる第一部材の端部は、第二状態において前記第二部材と重ならない請求項１から４のいずれか一項に記載の表示具。
【請求項６】
前記第一部材と前記第二部材との接続機構は、前記第一部材と前記第二部材との相対運動が可能なように、かつ、直接的な外力が加えられていない場合に前記第一部材と前記第二部材との相対位置が維持されるように、構成される請求項１から５のいずれか一項に記載の表示具。
【請求項７】
前記第一状態において前記第二部材は携帯端末により撮像され、
前記第二状態において前記表示具は他の物品に取り付けられる請求項１から６のいずれか一項に記載の表示具。
【発明の詳細な説明】
【技術分野】
【０００１】
本発明は、キャラクタの表示具に関する。
【背景技術】
【０００２】
近年、ＳＮＳ（Social Networking Service）の広がりと共に、旅先や外出先でぬいぐるみやフィギュアなどと写真を撮り、ＳＮＳにアップする人が増えている（例えば、非特許文献１参照）。
【先行技術文献】
【非特許文献】
【０００３】
【非特許文献１】「インスタで大流行！ 「ぬい撮り」のコツを『ちょっこりさん』担当者に聞いた」、https://time-space.kddi.com/digicul-column/suguyaru/20170919/2099、（平成２９年１２月１４日検索）
【発明の概要】
【発明が解決しようとする課題】
【０００４】
非特許文献１に記載される「ぬい撮り」では、ぬいぐるみをいったん撮影スポットに置いてから撮影することとなる。したがって、ぬいぐるみの配置には制限がある。また、ぬいぐるみやフィギュアを手に持って画角に入れる場合、ぬいぐるみやフィギュアの全体を画角に入れようとするとそれを持つ手が画角に入ることを避けることができない。
【０００５】
本発明の目的は、キャラクタを画角に入れて撮像する際の利便性を高めることができる技術の提供にある。
【課題を解決するための手段】
【０００６】
本発明のある態様は、表示具に関する。この表示具は、第一部材とキャラクタを視覚的に表す第二部材とを備え、第一部材と第二部材との相対位置がとりうる状態が、第一状態と、第一状態よりも第一部材を把持しにくい第二状態と、を含む。
【発明の効果】
【０００７】
本発明によれば、キャラクタを画角に入れて撮像する際の利便性を高めることができる。
【図面の簡単な説明】
【０００８】
【図１】実施の形態に係るキーチェーンの使用例を示す説明図である。
【図２】実施の形態に係るキーチェーンを用いて撮像した結果得られる画像の一例を示す模式図である。
【図３】図３（ａ）〜（ｅ）は、キーチェーンの構造図である。
【発明を実施するための形態】
【０００９】
以下、各図面に示される同一または同等の構成要素、部材、処理、信号には、同一の符号を付するものとし、適宜重複した説明は省略する。また、各図面において説明上重要ではない部材の一部は省略して表示する。
【００１０】
図１は、実施の形態に係るキーチェーン１０の使用例を示す説明図である。キーチェーン１０には、現実または非現実のキャラクタが視認可能な態様で表されている。非現実のキャラクタは例えばアニメーションや漫画や小説のキャラクタであってもよい。現実のキャラクタは例えば芸能人や俳優や歴史上の人物であってもよい。
【００１１】
ユーザ１２は非使用状態のキーチェーン１０を、スマートフォンや携帯電話やタブレットなどの携帯端末１４、またはカバンやベルトに取り付けている。ユーザ１２がキーチェーン１０に表されるキャラクタと共にあるスポットを撮像する場合、まずキーチェーン１０を外して使用状態に変形させる。次に図１に示されるようにユーザ１２は片方の手で携帯端末１４のカメラをスポットに向けて構え、もう片方の手で使用状態のキーチェーン１０の持ち手部材を持ってキーチェーン１０のキャラクタ部材がカメラの画角に入るようにする。その状態でユーザ１２はカメラによる撮像を実行する。
【００１２】
図２は、実施の形態に係るキーチェーン１０を用いて撮像した結果得られる画像１６の一例を示す模式図である。画像１６にはスポットの風景１８と共に、キーチェーン１０のキャラクタ部材１０２が映り込んでいる。図２にはユーザ１２が手でキーチェーン１０の持ち手部材１０４を持っている様子が示される。このように、本実施の形態に係るキーチェーン１０を用いると、あたかもキャラクタ２０がそのスポットにいるかのような画像１６を得ることができる。
【００１３】
図３（ａ）〜（ｅ）は、キーチェーン１０の構造図である。図３（ａ）は、使用状態のキーチェーン１０の正面図である。キーチェーン１０は、板状のキャラクタ部材１０２と、棒状の持ち手部材１０４と、を備える。キャラクタ部材１０２はキャラクタ２０を視覚的に表す部材である。キャラクタ部材１０２の表面には反射を抑制するための処理が施されてもよい。この場合、フラッシュ撮影の際の反射を抑制することができる。
【００１４】
持ち手部材１０４はキャラクタ部材１０２に回動可能に取り付けられる。持ち手部材１０４はキャラクタ部材１０２に対して３６０度回動可能であり、なんら回動トルクが加えられない状態ではキャラクタ部材１０２と持ち手部材１０４との相対位置は維持される。
【００１５】
キャラクタ部材１０２から遠位となる持ち手部材１０４の遠位端部１０４ａは、チェーン１０６やストラップを取り付けることができるよう構成される。具体的には、遠位端部１０４ａはＬ字形状に形成され、遠位端部１０４ａにはチェーン１０６やストラップを通すための孔１０８が設けられている。ここで、チェーン１０６やストラップは、キーチェーン１０を携帯端末１４やカバンに取り付けるために用いられる部材である。撮像時、使用状態における持ち手部材１０４はグリップとして機能する。
【００１６】
図３（ｂ）は、使用状態のキーチェーン１０の側面図である。図３（ｃ）は、使用状態のキーチェーン１０の背面図である。キャラクタ部材１０２は、第一透明板１１０と、キャラクタ２０の像が印刷されたシール１１２と、第二透明板１１４と、を含む。キャラクタ部材１０２は、第二透明板１１４の上面にシール１１２を貼り、さらにその上に第一透明板１１０を重ねて接着材により固定することで作成される。第一透明板１１０、第二透明板１１４はそれぞれ実質的に透明であればよく、例えばアクリル板や透明プラスチック板から作成されてもよい。このようにシール１１２を透明板１１０、１１４で挟み込む構造とすることにより、シール１１２が露出する場合と比較して、シール１１２の摩耗や損傷を低減し、キーチェーン１０の製品寿命を延ばすことができる。
【００１７】
なお、本実施の形態ではキャラクタ２０はキャラクタ２０の像が印刷されたシールとして表されるが、これに限られず、例えば透明な板の面にキャラクタ２０の像が直接描かれてもよい。
【００１８】
キャラクタ部材１０２と持ち手部材１０４との接続機構は、ねじ１１６と、スペーサ１１８と、を含む。接続機構はキャラクタ部材１０２の背面１０２ａ側に設けられ、特にキャラクタ部材１０２を正面から見たときにキャラクタ２０によって隠される（または、キャラクタ２０の像と重なる）位置に設けられる。あるいはまた、接続機構はキャラクタ２０の像の下方に設けられてもよい。
【００１９】
スペーサ１１８はテフロン（登録商標）やゴムや金属等から形成されるドーナツ状の部材であり、キャラクタ部材１０２の背面１０２ａと持ち手部材１０４の前面１０４ｂとの間に挟まれる。ねじ１１６は持ち手部材１０４とスペーサ１１８とキャラクタ部材１０２とを一体に締結する。ねじ１１６は、キャラクタ部材１０２により近い側の持ち手部材１０４の近位端部１０４ｃに設けられた孔と、スペーサ１１８の中心孔と、を通り、キャラクタ部材１０２に設けられた対応するねじ穴に螺合される。ねじ１１６の締め付けトルクと、スペーサ１１８のサイズや材質と、はキャラクタ部材１０２と持ち手部材１０４との相対運動が可能なように、かつ、直接的な外力が加えられていない場合にキャラクタ部材１０２と持ち手部材１０４との相対位置が維持されるように、選択される。
【００２０】
図３（ｄ）は、別の使用状態のキーチェーン１０の正面図である。図３（ａ）に示されるキーチェーン１０の使用状態から、持ち手部材１０４をキャラクタ部材１０２に対して９０度回動させることで、図３（ｄ）の状態が得られる。この状態は、画像の右上にキャラクタ２０を表示させる際に便利である。図３（ａ）の状態のキーチェーン１０を用いて画像の右上にキャラクタ２０を表示させようとすると、どうしても持ち手部材１０４とそれを持つ手とが画像に写り込んでしまう。これに対して図３（ｄ）の状態のキーチェーン１０を用いる場合、画像の横からキャラクタ部材１０２を画角に入れることで、持ち手部材１０４やそれを持つ手が画像に写り込まないようにすることができる。
【００２１】
図３（ｅ）は、非使用状態のキーチェーン１０の正面図である。図３（ａ）に示されるキーチェーン１０の使用状態から、持ち手部材１０４をキャラクタ部材１０２に対して１８０度回動させることで、図３（ｅ）の状態が得られる。キャラクタ部材１０２と持ち手部材１０４との相対位置がとりうる状態は、図３（ａ）や図３（ｄ）に示される使用状態と、使用状態よりも持ち手部材１０４を把持しにくい非使用状態と、を含む。非使用状態では、図３（ｅ）に示されるように、持ち手部材１０４の一部はキャラクタ２０の背面側に位置するようキャラクタ部材１０２と重なっている。持ち手部材１０４はキャラクタ部材１０２の背面に隠れているので、ユーザ１２は持ち手部材１０４を持ちにくい。一方、非使用状態のキーチェーン１０の全体の見た目は、通常のキーチェーンやキーホルダと似ており、キーチェーン１０を携帯端末１４やカバンに取り付けた際の違和感は低減または除去される。
【００２２】
キーチェーン１０は、非使用状態において、持ち手部材１０４の遠位端部１０４ａはキャラクタ部材１０２と重ならないよう構成される。これにより、非使用状態において、遠位端部１０４ａに取り付けられたチェーン１０６とキャラクタ部材１０２との干渉を避ける得ることができる。
【００２３】
本実施の形態に係るキーチェーン１０によると、使用状態のキーチェーン１０のキャラクタ部材１０２全体を画角に入れても、持ち手部材１０４を持つ手は画角に入らない。したがって、キャラクタ２０の全体を画像に入れつつ、持つ手は画像に入らないようにすることができる。
【００２４】
本実施の形態に係るキーチェーン１０によると、例えば以下のような価値をユーザ１２に提供することができる。ユーザ１２は、非使用状態のキーチェーン１０を携帯端末１４やカバンに取り付けて外出する。ユーザ１２は、外出先で写真を撮りたいスポットに遭遇した場合、キーチェーン１０の持ち手部材１０４を１８０度回動させることで使用状態とする。ユーザ１２は持ち手部材１０４を持ってキャラクタ２０と一緒にスポットの写真を撮る。このように、ユーザ１２は手軽にキャラクタ２０とお出かけ先で写真を撮ることができる。また、キーチェーン１０はグリップとして持ち手部材１０４を有しているので、撮影がより容易となる。さらに、非使用状態のキーチェーン１０はコレクションしやすく、またカバンや携帯端末１４に取り付けることができる。
【００２５】
以上、実施の形態に係るキーチェーン１０について説明した。この実施の形態は例示であり、各構成要素や各処理の組み合わせにいろいろな変形例が可能なこと、またそうした変形例も本発明の範囲にあることは当業者に理解される。
【００２６】
実施の形態では、キャラクタ２０の像が印刷されたシール１１２を用いるか、またはキャラクタ２０の像を透明板に直接描く場合について説明したが、これに限られない。例えばキャラクタ２０の立体像（例えば、フィギュアやぬいぐるみ）が用いられてもよい。
【００２７】
実施の形態では、キャラクタ部材１０２はキャラクタ２０が見える正面とキャラクタ２０が見えない背面１０２ａとを有する場合について説明したが、これに限られない。例えばキャラクタ部材の両面にそれぞれキャラクタを描くことで、キャラクタ部材のどちら側から見てもキャラクタが見えるようにしてもよい。
【００２８】
実施の形態では、持ち手部材１０４はキャラクタ部材１０２に回動可能に取り付けられる場合について説明したが、これに限られない。例えば、キャラクタ部材の内部に持ち手部材が収まるスペースを設け、非使用状態において持ち手部材を該スペースに収容し、使用状態において持ち手部材をスペースから出すよう構成してもよい。あるいはまた、キャラクタ部材と持ち手部材とを折り畳み用のヒンジで接続し、非使用状態において折り畳むよう構成してもよい。
【００２９】
実施の形態では、携帯端末１４のカメラでキャラクタ部材１０２のキャラクタ２０を撮像する場合を説明したが、これに限られない。例えば、携帯端末１４にインストールされたアプリケーションプログラムが携帯端末１４の撮像機能を制御してもよい。この場合、該アプリケーションプログラムは、携帯端末１４によって実行された場合、携帯端末１４に、カメラに写っているキャラクタ２０を特定する機能と、特定されたキャラクタ２０の情報をインターネットなどのネットワークを介してサーバに送信する機能と、特定されたキャラクタ２０に対応する画像をネットワークを介してサーバから受信する機能と、受信した画像をカメラに写る実空間の画像に合成する機能と、合成された画像を携帯端末１４のディスプレイに表示させると共にメモリに格納する機能と、を実現させる。
【００３０】
実施の形態に係る技術的思想は以下の項目により表されてもよい。
（項目１）
第一部材とキャラクタを視覚的に表す第二部材とを備え、前記第一部材と前記第二部材との相対位置がとりうる状態が、第一状態と、第一状態よりも前記第一部材を把持しにくい第二状態と、を含む表示具。
（項目２）
前記第一部材は前記第二部材に回動可能に取り付けられる項目１に記載の表示具。
（項目３）
前記第二状態において前記第一部材は前記キャラクタの背面側に位置するよう前記第二部材と重なる項目１または２に記載の表示具。
（項目４）
前記第一状態において前記第二部材から遠位となる第一部材の端部は、前記表示具を他の物品に取り付けるために用いられる部材を取り付けることができるよう構成される項目１から３のいずれか一項に記載の表示具。
（項目５）
前記第一状態において前記第二部材から遠位となる第一部材の端部は、第二状態において前記第二部材と重ならない項目１から４のいずれか一項に記載の表示具。
（項目６）
前記第一部材と前記第二部材との接続機構は、前記第一部材と前記第二部材との相対運動が可能なように、かつ、直接的な外力が加えられていない場合に前記第一部材と前記第二部材との相対位置が維持されるように、構成される項目１から５のいずれか一項に記載の表示具。
（項目７）
前記第一状態において前記第二部材は携帯端末により撮像され、
前記第二状態において前記表示具は他の物品に取り付けられる項目１から６のいずれか一項に記載の表示具。
（項目８）
前記第二部材は前記キャラクタの像が貼られたかまたは描かれた実質的に透明な板を含む項目１から７のいずれか一項に記載の表示具。
（項目９）
前記端部はＬ字形状に形成される項目４または５に記載の表示具。
（項目１０）
項目７に記載される携帯端末であって、
前記キャラクタが撮像されると、撮像された前記キャラクタに対応する画像を実空間の画像に合成する手段を備える携帯端末。
【符号の説明】
【００３１】
１０  キーチェーン、  １０２  キャラクタ部材、  １０４  持ち手部材。
【図１】
2019110931.tif 000003
【図２】
2019110931.tif 000004
【図３】
2019110931.tif 000005